(57)【特許請求の範囲】
【請求項１】
ＩＳＤＮを使用して通信を行う呼を切断する呼切断装置であって、
Ｔ点を介してＤＳＵと接続する網インターフェース部と、Ｓ点を介して端末と接続する端末インターフェース部と、前記網インターフェース部と前記端末インターフェース部とを接続することにより前記網および前記端末間の通信を中継する中継部と、を有し、
前記中継部は、
前記網インターフェース部が前記ＤＳＵとやり取りした呼制御情報、および、前記端末インターフェース部が前記端末とやり取りした呼制御情報を管理する呼制御情報管理手段と、
ユーザよりの切断要求に従い、呼制御シーケンス上、前記網インターフェース部が前記ＤＳＵと直前にやり取りした呼制御情報との連続性が保たれている切断信号を生成して、これを前記網インターフェース部を介して前記ＤＳＵへ送出する切断信号送信手段と、
前記網インターフェース部を介して前記ＤＳＵより前記端末への呼制御情報を受け取ると、呼制御シーケンス上、前記端末インターフェース部が前記端末と直前にやり取りした呼制御情報との連続性が保たれている呼制御情報を生成して、これを前記端末インターフェース部を介して前記端末へ送出すると共に、前記端末インターフェース部を介して前記端末より前記ＩＳＤＮへの呼制御情報を受け取ると、呼制御シーケンス上、前記網インターフェース部が前記ＤＳＵと直前にやり取りした呼制御情報との連続性が保たれている呼制御情報を生成して、これを前記網インターフェース部を介して前記ＤＳＵへ送出する呼制御情報中継手段と、を有すること
を特徴とする呼切断装置。
【請求項２】
請求項１記載の呼切断装置であって、
前記呼制御情報管理手段は、
前記網インターフェース部が前記ＤＳＵとやり取りした呼制御情報、および、前記端末インターフェース部が前記端末とやり取りした呼制御情報各々の、端末終端点識別子、送信シーケンス番号、受信シーケンス番号および呼番号を管理し、
前記切断信号送信手段は、
前記網インターフェース部が前記ＤＳＵと直前にやり取りした呼制御情報の受信シーケンス番号を１つインクリメントした呼制御情報（切断信号）を生成し、これを前記網インターフェース部を介して前記ＤＳＵへ送出し、
前記呼制御情報中継手段は、
前記網インターフェース部を介して前記ＤＳＵより前記端末への呼制御情報を受け取ると、呼制御シーケンス上、前記端末インターフェース部が前記端末と直前にやり取りした呼制御情報の送信シーケンス番号を１つインクリメントした呼制御情報を生成し、これを前記端末インターフェース部を介して前記端末へ送出すると共に、前記端末インターフェース部を介して前記端末より前記ＩＳＤＮへの呼制御情報を受け取ると、呼制御シーケンス上、前記網インターフェース部が前記ＤＳＵと直前にやり取りした呼制御情報の受信シーケンス番号を１つインクリメントした呼制御情報を生成し、これを前記網インターフェース部を介して前記網へ送出すること
を特徴とする呼切断装置。
【請求項３】
請求項１または２記載の呼切断装置であって、
前記中継部は、
前記切断信号送信手段から送信された切断信号により開始される切断処理が終了した場合に、ユーザよりの切断解除要求があるまで、前記端末インタフェース部の動作を停止させる端末インタフェース制御手段を、さらに有すること
を特徴とする呼切断装置。
【請求項４】
Ｔ点を介してＤＳＵと接続し且つＳ点を介して端末と接続する呼切断装置が、ＩＳＤＮを使用して通信を行う呼を強制切断する呼の強制切断方法であって、
ユーザよりの切断要求に従い、呼制御シーケンス上、前記ＤＳＵと直前にやり取りした呼制御情報との連続性が保たれている切断信号を生成して、これを前記ＤＳＵへ送出するステップと、
前記ＤＳＵより前記端末への呼制御情報を受け取ると、呼制御シーケンス上、前記端末と直前にやり取りした呼制御情報との連続性が保たれている呼制御情報を生成して、前記端末へ送出するステップと、
前記端末より前記ＩＳＤＮへの呼制御情報を受け取ると、呼制御シーケンス上、前記網と直前にやり取りした呼制御情報との連続性が保たれている呼制御情報を生成して、これを前記ＤＳＵへ送出するステップと、を有すること
を特徴とする呼の強制切断方法。
【発明の詳細な説明】
【０００１】
【発明の属する技術分野】
本発明は、ＩＳＤＮ回線において通信中の呼を強制切断する技術に関する。
【０００２】
【従来の技術】
ＩＳＤＮ回線において通信中の呼を強制切断して緊急用の回線を確保する強制切断装置がある。例えば、特開平６-８５９６０号公報には、ＩＳＤＮバス回線のＤＳＵに最も近い位置に回線接続リレーを設け、緊急時には回線接続リレーを一時的に開放してＩＳＤＮバス回線を一時遮断することにより強制切断し、回線を確保する技術が開示されている。また、例えば、特開平７-１０７２０６号公報には、ＩＳＤＮ回線のすべてが通信中である状態で、さらに端末から発呼命令を受けた場合に、発呼命令の通話要求先が予め登録された電話番号であるならば、予め定められた回線の通信を切断し、この通信を切断した回線に、発呼命令を出した端末を接続する技術が開示されている。
【０００３】
【発明が解決しようとする課題】
上述の特開平６-８５９６０号公報や特開平７-１０７２０６号公報に開示の技術によれば、強制的に通信中の呼を切断することにより、解放された回線（Ｂチャネル）を使用して緊急通信を行うことが可能となる。しかし、この強制切断は、通信が強制切断された端末からすれば、所定の呼制御シーケンスに従って通信が切断されなかったことを意味する。このため、通信が強制切断された端末は、通信に使用していた回線を異常（例えば障害発生による断等）と判断してしまう。なお、特開平７-１０７２０６号公報に開示の技術では、強制切断に際して、網に対しては所定の呼制御シーケンスを行うようにしているが、通信が強制切断される端末に対しては何ら考慮されていない。通信が強制切断された端末は、回線を異常と判断した場合、その後、この回線が正常である旨の設定がされるまで、この回線を使用した発呼や着信を処理しないことになる。
【０００４】
また、特開平６-８５９６０号公報に開示の技術では、強制切断により確保した回線の使用に制約がないため、この回線の捕捉に関し、緊急発信と緊急発信以外の発着信とが競合し、緊急発信がこの回線を利用できない可能性がある。一方、特開平７-１０７２０６号公報に開示の技術では、強制切断により確保した回線の使用が、通話要求先が予め登録された電話番号である発呼命令に対してのみ許可されるため、上述の競合に関する問題が生じる可能性は低い。しかし、緊急発信先が予め登録された電話番号に限定されてしまい、使い勝手が悪い。
【０００５】
また、強制的に通信中の呼を切断する場合、通信が強制切断される端末に対しても、この通信に対する料金情報等を通知することが望ましい。しかし、特開平６-８５９６０号公報や特開平７-１０７２０６号公報に開示の技術では、この点について何ら考慮されていない。なお、特開平７-１０７２０６号公報に開示の技術では、強制切断に際して、網に対しては所定の呼制御シーケンスを行うようにしている。しかし、通信が強制切断された端末が、網から料金情報等の通知を受けることについて、何ら教示されていない。
【０００６】
本発明は上記事情に鑑みてなされたものであり、本発明の目的の１つは、ＩＳＤＮ回線において通信中の呼を強制切断した場合に、網および端末の双方が通信に使用していた回線を異常と判断してしまうことを防止することにある。
【０００７】
また、本発明の目的の１つは、緊急発信先を制限しなくても、緊急発信が回線捕捉の競合により強制切断により確保した回線を使用できない可能性を、低減できるようにすることにある。
【０００８】
また、本発明の目的の１つは、強制的に通信中の呼を切断する場合、通信が強制切断される端末に対しても、この通信に対する料金情報等を通知できるようにすることにある。
【０００９】
【課題を解決するための手段】
上記課題を解決するために、本発明の呼切断装置は、ＩＳＤＮ回線を使用して通信を行う呼を切断する呼切断装置であって、網と通信を行なうための網インターフェース部と、端末と通信を行なうための端末インターフェース部と、前記網インターフェース部と前記端末インターフェース部とを接続することにより前記網および前記端末間の通信を中継する中継部と、を有する。
【００１０】
そして、前記中継部は、前記網インターフェース部が前記網とやり取りした呼制御情報、および、前記端末インターフェース部が前記端末とやり取りした呼制御情報を管理する呼制御情報管理手段と、ユーザよりの切断要求に従い、呼制御シーケンス上、前記網インターフェース部が前記網と直前にやり取りした呼制御情報との連続性が保たれている切断信号を生成して、前記網インターフェース部を介して前記網へ送出する切断信号送信手段と、前記網インターフェース部を介して前記網より前記端末への呼制御情報を受け取ると、呼制御シーケンス上、前記端末インターフェース部が前記端末と直前にやり取りした呼制御情報との連続性が保たれている呼制御情報を生成して、前記端末インターフェース部を介して前記端末へ送出すると共に、前記端末インターフェース部を介して前記端末より前記網への呼制御情報を受け取ると、呼制御シーケンス上、前記網インターフェース部が前記網と直前にやり取りした呼制御情報との連続性が保たれている呼制御情報を生成して、前記網インターフェース部を介して前記網へ送出する呼制御情報中継手段と、を有する。
【００１１】
本発明によれば、前記の構成により、ＩＳＤＮ回線において通信中の呼を強制切断した場合に、網および端末の双方が切断のための呼制御シーケンスを正常に実行することができる。したがって、通信に使用していた回線を異常と判断してしまうことを防止することができる。
【００１２】
また、このように、強制切断の場合でも、切断のための呼制御シーケンスを正常に実行することができるので、端末は、網より料金情報等を含んだ解放信号を正常に受け取ることができる。したがって、通信が強制切断される端末に対しても、この通信に対する料金情報等を通知することができる。
【００１３】
なお、本発明において、前記中継部に、前記切断信号送信手段が送信した切断信号により開始される切断処理が終了した場合に、ユーザよりの切断解除要求があるまで、前記端末インタフェース部の動作を停止させる端末インタフェース制御手段を、さらに設けてもよい。
【００１４】
このようすることで、強制切断の実行中、端末への発着信を受け付けないようにすることができる。したがって、緊急発信先を制限しなくても、回線捕捉に関し、緊急発信と緊急発信以外の発着信とが競合して、緊急発信が強制切断により確保した回線を使用できなくなる可能性を、低くすることができる。
【００１５】
【発明の実施の形態】
以下、本発明の一実施形態について説明する。
【００１６】
図１は、本発明の一実施形態である強制切断装置６を用いた緊急通報システムの構成例を示す図である。
【００１７】
図示するように、Ｓ点において、強制切断装置６は、複数の端末機器７1、７2（単に端末機器７とも呼ぶ）と接続されている。また、Ｔ点において、強制切断装置６は、ＩＳＤＮ網の網終端装置であるＤＳＵ５および緊急通報用の電話機１０と接続されている。さらに、強制切断装置６には、ユーザより強制切断等の指示を受け付けるためのコントロールＢＯＸ９が接続されている。
【００１８】
ここで、強制切断装置６および端末機器７は、共に、いわゆる呼毎起動で動作するものとする。また、電話機１０は、ＩＳＤＮ用の電話機とする。また、本実施形態において、網２は、ＤＳＵ５およびＩＳＤＮ交換機４を含む公衆網とする。網２には、通信相手先としての通信相手１1、１2（単に通信相手１とも呼ぶ）および緊急通報先である通報センタ３が収容されている。本実施形態では、これらの通信相手先は、ＩＳＤＮ網に収容されているものする。
【００１９】
図２は、強制切断装置６の概略構成図である。
【００２０】
図示するように、強制切断装置６は、Ｔ点を介して網２に接続するための網ＩＦ（インターフェース）部６１と、Ｓ点を介して端末機器７に接続するための端末ＩＦ部６２と、コントロールＢＯＸ９を接続するための外部ＩＦ部６３と、これらの各部を統括的に制御して、網２に収容された通信相手と端末機器７との間の通信を中継する中継部６４と、を有する。
【００２１】
また、中継部６４は、呼制御情報中継部６４１と、切断信号送信部６４２と、Ｓ点接続制御部６４３と、呼制御情報管理部６４４と、を有する。
【００２２】
呼制御情報中継部６４１は、端末ＩＦ部６２が端末機器７と送受する呼制御情報を網ＩＦ部６１に中継する。また、網ＩＦ部６１が網２と送受する呼制御情報を端末ＩＦ部６２に中継する。これにより、網２および端末機器７間の呼制御情報のやり取りを中継する。
【００２３】
切断信号送信部６４２は、外部ＩＦ部６３を介してコントロールＢＯＸ９より強制切断要求を受け付けると、網２に対して、通信中の全ての呼を切断するための切断信号を送信する。
【００２４】
Ｓ点接続制御部６４３は、切断信号送信部６４２での切断信号の送信により開始される切断処理が終了した場合に、端末ＩＦ部６２の動作を停止させる。これにより、端末機器７への発着信を処理しないようにする。また、Ｓ点接続制御部６４３は、外部ＩＦ部６３を介してコントロールＢＯＸ９より強制切断解除要求を受け付けると、このとき端末ＩＦ部６３が動作停止状態にあるならば、端末ＩＦ部６３の動作を再開させる。
【００２５】
呼制御情報管理部６４４は、端末ＩＦ部６２が端末機器７と送受する呼制御情報を管理する。また、網ＩＦ部６１が網２と送受する呼制御情報を管理する。
【００２６】
次に、以上のような構成を有する緊急通報システムの動作について説明する。
【００２７】
図３は、図１に示す緊急通報システムの動作シーケンスを説明するための図である。ここでは、端末機器７1から通信相手１1に発信して通信中となり（Ｓ３０１）、次に、端末機器７2から通信相手１2に発信して通信中となり（Ｓ３０２）、これにより、ＩＳＤＮのＢチャネルが２つとも使用されている状態を前提としている。ここまでのシーケンスにおいて、強制切断装置６は、単なる中継装置として機能するのみである。そこで、ここまでのシーケンスの詳細は省略している。
【００２８】
さて、このような状態において、コントロールＢＯＸ９は、図示していない操作ボタン等を介して、ユーザより強制切断の指示を受け付けると（Ｓ３０３）、強制切断装置６に対して強制切断要求を送出する（Ｓ３０４）。強制切断装置６において、外部ＩＦ部６３は、コントロールＢＯＸ９よりこの強制切断要求を受け取り、これを中継部６４に送信する。これを受けて、中継部６４の切断信号送信部６４２は、所定の切断シーケンスにより通信を切断するための切断信号を生成する。そして、通信相手１1および通信相手１2のそれぞれに対する切断信号を、網ＩＦ部６１を介して、網２へ送信する（Ｓ３０５、Ｓ３０７）。網２は、これらの切断信号を通話相手１1、１2にそれぞれ送信する（Ｓ３０６、Ｓ３０８）。
【００２９】
通話相手１1は、切断信号を受けると、端末機器７1との通信の切断シーケンス（レイヤ３での処理）を開始し、まず、解放信号を網２へ送信する（Ｓ３０９）。これを受けて、網２は、通話相手１1の解放信号を端末機器７1に送信する（Ｓ３１０）。強制切断装置６において、網ＩＦ部６１は、網２より通話相手１1の解放信号を受け取って、これを中継部６４に送信する。中継部６４の呼制御情報中継部６４１は、この解放信号を端末ＩＦ部６２を介して、端末機器７1へ送信する（Ｓ３１１）。これにより、通信相手１1の解放信号が、網２および強制切断装置６を経由して、端末機器７1へ中継される。
【００３０】
同様に、通話相手１2は、切断信号を受けると、端末機器７2との通信の切断シーケンス（レイヤ３での処理）を開始し、まず、解放信号を網２へ送信する（Ｓ３１２）。これを受けて、網２は、通話相手１2の解放信号を端末機器７2に送信する（Ｓ３１３）。強制切断装置６において、網ＩＦ部６１は、網２より通信相手１2の解放信号を受け取って、これを中継部６４に送信する。中継部６４の呼制御情報中継部６４１は、この解放信号を端末ＩＦ部６２を介して、端末機器７2へ送信する（Ｓ３１４）。これにより、通信相手１2の解放信号が、網２および強制切断装置６を経由して、端末機器７2へ中継される。
【００３１】
端末機器７1は、解放信号を受信すると、これに対する応答として解放完了信号を送信する（Ｓ３１５）。強制切断装置６において、端末ＩＦ部６２は、端末機器７1より解放完了信号を受け取って、これを中継部６４に送信する。中継部６４の呼制御情報中継部６４１は、端末機器７1の解放完了信号を網ＩＦ部６１を介して網２へ送信する（Ｓ３１６）。網２は、この解放完了信号を通話相手１1に送信する（Ｓ３１７）。これにより、端末機器７1の解放完了信号が、強制切断装置６および網２を経由して通信相手１1へ中継される。そして、端末機器７1および通信相手１1間の切断シーケンスが完了する。
【００３２】
同様に、端末機器７2は、解放信号を受信すると、これに対する応答として解放完了信号を送信する（Ｓ３１８）。強制切断装置６において、端末ＩＦ部６２は、端末機器７2より解放完了信号を受け取って、これを中継部６４に送信する。中継部６４の呼制御情報中継部６４１は、端末機器７2の解放完了信号を網ＩＦ部６１を介して網２へ送信する（Ｓ３１９）。網２は、この解放完了信号を通話相手１2に送信する（Ｓ３２０）。これにより、端末機器７2からの解放完了信号が、強制切断装置６および網２を経由して通信相手１2へ中継される。そして、端末機器７2および通信相手１2間の切断シーケンスが完了する。
【００３３】
以上のようにして、レイヤ３での切断シーケンスが終了すると、呼毎起動の端末機器７1は、レイヤ２の切断コマンドであるＤＩＳＣを網２へ送信する（Ｓ３２１）。強制切断装置６において、端末ＩＦ部６２は、端末機器７1よりＤＩＳＣを受け取って、これを中継部６４に送信する。中継部６４のＳ点接続制御部６４３は、このＤＩＳＣの確認応答であるＵＡを、端末ＩＦ部６２を介して端末機器７1へ返すと共に（Ｓ３２２）、網ＩＦ部６１を介してＤＩＳＣを網２へ送信する（Ｓ３２３）。そして、このＤＩＳＣに対する確認応答であるＵＡを網２から受け取ったならば（Ｓ３２４）、レイヤ２での切断シーケンスが終了する。
【００３４】
同様に、呼毎起動の端末機器７2は、レイヤ２の切断コマンドであるＤＩＳＣを網２へ送信する（Ｓ３２５）。強制切断装置６において、端末ＩＦ部６２は、端末機器７2よりＤＩＳＣを受け取って、これを中継部６４に送信する。中継部６４のＳ点接続制御部６４３は、このＤＩＳＣの確認応答であるＵＡを、端末ＩＦ部６２を介して端末機器７2へ返すと共に（Ｓ３２６）、網ＩＦ部６１を介してＤＩＳＣを網２へ送信する（Ｓ３２７）。そして、このＤＩＳＣに対する確認応答であるＵＡを網２から受け取ったならば（Ｓ３２８）、レイヤ２での切断シーケンスが終了する。
【００３５】
以上のようにして、レイヤ２での切断シーケンスが終了すると、Ｓ点接続制御部６４３は、端末ＩＦ部２６３の動作を停止させて、Ｓ点をＩＮＦＯ ０の状態とする（Ｓ３２９、Ｓ３３０）。これにより、強制切断状態が開始され（Ｓ３３１）、Ｓ点接続制御部６４３は、強制切断中であることを示す信号を、外部ＩＦ部６３を介してコントロールＢＯＸ９へ送信する（Ｓ３３２）。コントロールＢＯＸ９は、強制切断中であることを示す信号を受け取ると、例えば、強制切断中であることを示すランプ（発光ダイオード等）を点灯させる（Ｓ３３３）。これにより、ユーザは、強制切断処理が完了して、緊急連絡用の電話機１０が使用可能になったことを確認することができる。そして、電話機１０の通報センタ３への発呼により、電話機１０および通報センタ３間に呼が確立され、ユーザは、通報センタ３との通話が可能になる（Ｓ３３４）。なお、電話機１０および通報センタ３間の呼確立のために要求される呼制御シーケンスは、通常の呼制御シーケンスと同様であるので、ここではその説明を省略している。
【００３６】
なお、強制切断されている状態にて、端末ＩＦ部６２は、端末機器７よりデータリンクコネクションを要求するコマンドであるＳＡＢＭＥを受信すると（Ｓ３３５）、これに対する応答としてＢＴ（ビジートーン）を返す（Ｓ３３６）。
【００３７】
さて、コントロールＢＯＸ９は、図示していない操作ボタン等を介して、ユーザより強制切断解除の指示を受け付けると（Ｓ３３７）、強制切断装置６に対して強制切断解除要求を送出する（Ｓ３３８）。強制切断装置６において、外部ＩＦ部６３は、コントロールＢＯＸ９よりこの強制切断解除要求を受け取り、これを中継部６４に送信する。これを受けて、中継部６４のＳ点接続制御部６４３は、端末ＩＦ部６２の動作を再開させ、これにより強制切断を解除する（Ｓ３３９）。また、Ｓ点接続制御部６４３は、端末ＩＦ部６２の動作を再開させると、外部ＩＦ部６３を介してコントロールＢＯＸ９へ、強制切断を解除したことを示す信号を送信する。これを受けて、コントロールＢＯＸ９は、強制切断中であることを示すランプを消灯させる。
【００３８】
なお、強制切断が解除されている状態にて、端末ＩＦ部６２は、端末機器７よりデータリンクコネクションを要求するコマンドであるＳＡＢＭＥを受信すると（Ｓ３４０）、これに対する確認レスポンスであるＵＡを端末機器７へ送信する（Ｓ３４１）。これにより、端末機器７と強制切断装置６との間にデータリンクが確立される。
【００３９】
以上、緊急通報システムの動作シーケンスについて説明した。
【００４０】
ところで、図３に示すフローが成立するためには、切断信号を受信する通話相手１が、強制切断装置６が送信した切断信号を、相手の端末機器７が所定の切断シーケンスに従って送出したものであると認識できるようにしなければならない。また、その後の切断シーケンスでの呼制御情報のやり取りにおいて、通話相手１および端末機器７の各々が、呼制御情報を自身の相手から所定の切断シーケンスに従って送出されたものであると認識できるようにしなければならない。
【００４１】
そこで、本実施形態では、呼制御情報管理部６４４に、網ＩＦ部６１を介して網２とやり取りする呼制御情報、および、端末ＩＦ部６２を介して端末７とやり取りする呼制御情報各々の内容（具体的には、端末終端点識別子ＴＥＩ、送信シーケンス番号Ｎ（Ｓ）、受信シーケンス番号Ｎ（Ｒ）および呼番号の４種類）を管理させるようにしている。そして、切断信号装置部６４２は、ユーザの強制切断要求に従い切断信号を網２に送信する場合に、呼制御シーケンス上、網２と直前にやり取りした呼制御情報との連続性が保たれるように、この呼制御情報の受信シーケンス番号Ｎ（Ｒ）を１つインクリメントしてから網２に送信させるようにしている。また、その後において、呼制御情報中継部６４１は、網２および端末機器７のそれぞれに対して、呼制御シーケンス上、直前にやり取りした呼制御情報との連続性が保たれるように、この呼制御情報の送信シーケンス番号Ｎ（Ｓ）あるいは受信シーケンス番号Ｎ（Ｒ）を１つインクリメントしてから送信させるようにしている。
【００４２】
図４は、ユーザより強制切断要求を指示された場合に実行されるレイヤ３での切断シーケンスにおいて、強制切断装置６が関与する部分を図３から抜き出したものである。図３に示すステップと同じものに同じ符号を付している。ここでは、説明を簡単にするために、端末機器７1および通話相手１1間で行なわれるレイヤ３での切断シーケンスを図３から抜き出しているが、端末機器７2および通話相手１2間で行なわれるレイヤ３での切断シーケンスも、同様である。
【００４３】
図４に示すように、端末機器７1および通話相手１1が通話中（Ｓ３０１）となる直前に、強制切断装置６が網２とやり取りした呼制御情報（応答信号）が、ＴＥＩ＝Ａ、Ｎ（Ｓ）＝Ｎ、Ｎ（Ｒ）＝Ｍ、呼番号＝６４であったとする。また、強制切断装置６が端末７1とやり取りした呼制御情報（応答信号）が、ＴＥＩ＝ａ、Ｎ（Ｓ）＝ｎ、Ｎ（Ｒ）＝ｍ、呼番号＝１であったとする。これらの呼制御情報の内容は、呼制御情報管理部６４４によって常時管理されている。
【００４４】
この場合、強制切断装置６において、中継部６４の切断信号送信部６４２は、外部ＩＦ部６３を介してコントロールＢＯＸ９より受け取った強制切断要求（Ｓ３０４）に応答して、強制切断装置６が通話直前に網２とやり取りした呼制御情報の受信シーケンス番号Ｎ（Ｒ）を１つインクリメントした呼制御情報（切断信号：ＴＥＩ＝Ａ、Ｎ（Ｓ）＝Ｎ、Ｎ（Ｒ）＝Ｍ＋１、呼番号＝６４）を生成し、これを網ＩＦ部６１を介して網２へ送信する（Ｓ３０５）。
【００４５】
網２は、この呼制御情報を端末機器７1からの通話相手１1に対する呼制御情報（切断信号）と認識し、これを端末機器１1へ送信する。また、網２は、端末機器１1がこれに応答して送信した呼制御情報（解放信号：ＴＥＩ＝Ａ、Ｎ（Ｓ）＝Ｎ＋１、Ｎ（Ｒ）＝Ｍ＋１、呼番号＝６４）を強制切断装置６へ送信する（Ｓ３１０）。
【００４６】
強制切断装置６において、中継部６４の呼制御情報中継部６４１は、網ＩＦ部６１を介して網２より呼制御情報（解放信号）を受け取ると、強制切断装置６が通話直前に端末機器７1とやり取りした呼制御情報の送信シーケンス番号Ｎ（Ｓ）を１つインクリメントした呼制御情報（解放信号：ＴＥＩ＝ａ、Ｎ（Ｓ）＝ｎ＋１、Ｎ（Ｒ）＝ｍ、呼番号＝１）を生成し、これを端末ＩＦ部６２を介して網２へ送信する（Ｓ３１１）。
【００４７】
端末機器７1は、この呼制御情報を網２からの呼制御情報（解放信号）と認識する。そして、この呼制御情報の受信シーケンス番号Ｎ（Ｒ）に、端末機器７1が前回呼制御情報を送出してからそれまでに受信した呼制御情報の数（応答および解放の２つ）を追加した受信シーケンス番号Ｎ（Ｒ）を持つ呼制御情報（解放完了信号：ＴＥＩ＝ａ、Ｎ（Ｓ）＝ｎ＋１、Ｎ（Ｒ）＝ｍ＋２、呼番号＝１）を生成し、これを網２へ送信する（Ｓ３１５）。
【００４８】
強制切断装置６において、中継部６４の呼制御情報中継部６４１は、端末ＩＦ部６２を介して端末機器７1より呼制御情報（解放完了信号）を受け取ると、強制切断装置６が直前に網２とやり取りした呼制御情報の送信シーケンス番号Ｎ（Ｓ）を１つインクリメントした呼制御情報（解放完了信号：ＴＥＩ＝Ａ、Ｎ（Ｓ）＝Ｎ＋１、Ｎ（Ｒ）＝Ｍ＋２、呼番号＝６４）を生成し、これを端末ＩＦ部６２を介して網２へ送信する（Ｓ３１６）。
【００４９】
網２は、この呼制御情報を端末機器７1からの通話相手１1に対する呼制御情報（解放完了信号）と認識し、これを端末機器１1へ送信する。以上により、端末機器７1および網２間で行なわれるレイヤ３での切断シーケンスが完了する。
【００５０】
以上、本発明の一実施形態について説明した。
【００５１】
本実施形態の強制切断装置６によれば、前記の構成により、ユーザの指示により網２へ送信する切断信号は、呼制御シーケンス上、強制切断装置６が直前に網２とやり取りした呼制御情報の内容（端末終端点識別子ＴＥＩ、送信シーケンス番号Ｎ（Ｓ）、受信シーケンス番号Ｎ（Ｒ）および呼番号）との連続性が保たれる（具体的には、受信シーケンス番号Ｎ（Ｒ）が１つインクリメントされる）。このため、網２は、この切断信号を端末機器７からの通話相手１に対する呼制御情報と認識し処理することができる。
【００５２】
そして、その後の切断シーケンスにおいて、端末機器７とやり取りする呼制御情報は、前記シーケンス上、強制切断装置６が直前に端末機器７とやり取りした呼制御情報の内容との連続性が保たれ、また、網２とやり取りする呼制御情報は、強制切断装置６が直前に網２とやり取りした呼制御情報の内容との連続性が保たれる（具体的には、送信シーケンス番号Ｎ（Ｓ）および受信シーケンス番号Ｎ（Ｒ）のいずれかが１つインクリメントされる）。このため、呼制御情報を、端末機器７は、網２から送られてきた通話相手１の呼制御情報と認識し処理することができ、また、網２は、端末機器７からの通話相手１に対する呼制御情報と認識し処理することができる。
【００５３】
したがって、本実施形態の強制切断装置６によれば、ＩＳＤＮ回線において通信中の呼を強制切断した場合に、網２および端末機器７の双方が切断シーケンスを正常に実行することができるので、通信に使用していた回線を異常と判断してしまうことを防止することができる。
【００５４】
また、本実施形態の強制切断装置６では、強制切断の実行中、端末ＩＦ部６２の動作を停止させて、端末機器７への発着信を受け付けないようにしている。このため、緊急発信先を制限しなくても、回線捕捉に関し、電話機１０よりの発信（緊急発信）と端末機器７への発着信（緊急発信以外の発着信）とが競合して、電話機１０が強制切断により確保した回線を使用できなくなることを、防止することができる。
【００５５】
また、本実施形態の強制切断装置６では、上述したように、強制切断の場合でも、端末機器７および網２間において切断シーケンスを正常に実行することができるので、つまり、端末機器７は、網２より解放信号（一般に、網２よりの解放信号には料金情報等が含まれている）を正常に受け取ることができるので、通信が強制切断される端末機器７に対しても、この通信に対する料金情報等を通知することができる。
【００５６】
なお、本発明は上記の実施形態に限定されるものではなく、その要旨の範囲内で数々の変形が可能である。例えば、上記の実施形態では、強制切断装置６に、外部ＩＦ部６３を設け、これにユーザよりの指示（強制切断指示や強制切断解除指示）を受け付けるためのコントロールＢＯＸ９を接続している。しかし、コントロールＢＯＸ９の機能を強制切断装置６に内蔵させることで、外部ＩＦ部６３を省略しても構わない。
【００５７】
【発明の効果】
以上説明したように、本発明によれば、ＩＳＤＮ回線において通信中の呼を強制切断した場合に、網および端末の双方が、前記通信に使用していた回線を異常と判断してしまうことを防止することができる。また、通信が強制切断される端末に対して、この通信に対する料金情報等を通知することができる。
【００５８】
【図面の簡単な説明】
【図１】本発明の一実施形態の強制切断装置を用いた緊急通報システムの概略構成を示す図である。
【図２】本発明の一実施形態の強制切断装置の概略構成を示す図である。
【図３】図１に示す緊急通報システムの動作のシーケンスを説明するための図である。
【図４】強制切断要求を指示された場合に実行されるレイヤ３での切断シーケンスにおいて、強制切断装置６が関与する部分を図３から抜き出した図である。
【符号の説明】
１…通信相手
２…網
３…通報センタ
４…ＩＳＤＮ交換機
５…ＤＳＵ
６…強制切断装置
７…端末機器
９…コントロールＢＯＸ
１０…電話機
６１…網ＩＦ部
６２…端末ＩＦ部
６３…外部ＩＦ部
６４…中継部
６４１…呼制御情報中継部
６４２…切断信号送信部
６４３…Ｓ点接続制御部
６４４…呼制御情報管理部
【図１】
0003719984.tif 000002
【図２】
0003719984.tif 000003
【図３】
0003719984.tif 000004
【図４】
0003719984.tif 000005